(57)【要約】【課題】品質や施工性、或いはメンテナンス性を向上させ、案内レールに沿って遮蔽材を移動可能とする遮蔽装置を提供する。【解決手段】本発明の遮蔽装置として構成される折引戸１は、下部レール２に沿ってパネルを移動可能とし、パネルを移動可能に支持するスライダー６を備えている。スライダー６は、弾性変形させて下部レール２に係合させる脚部６１２を有するガイド部材６１、及び、脚部６１２の弾性変形を抑止可能とするロック部材６２を備える。【選択図】図４
2017014740.tif 000002
【特許請求の範囲】
【請求項１】
案内レールに沿って遮蔽材を移動可能とする遮蔽装置であって、
前記遮蔽材、又は前記遮蔽材に取着される錘部材を移動可能に支持するスライダーを備え、
前記スライダーは、弾性変形させて案内レールに係合させる脚部を有するガイド部材、及び、前記脚部の弾性変形を抑止可能とするロック部材を備えることを特徴とする遮蔽装置。
【請求項２】
前記ロック部材及び前記ガイド部材は、当該非ロック状態又はロック状態を設定可能にする互いに係合可能な係合手段を有することを特徴とする、請求項１に記載の遮蔽装置。
【請求項３】
前記ロック部材は、前記脚部の弾性変形を許容する非ロック状態と、前記脚部の弾性変形を抑止するロック状態のいずれにおいても前記ガイド部材に保持されていることを特徴とする、請求項１又は２に記載の遮蔽装置。
【請求項４】
前記ロック部材は、前記ガイド部材に対して所定距離で相対移動可能に係合されていることを特徴とする、請求項１から３のいずれか一項に記載の遮蔽装置。
【請求項５】
前記脚部が外向の弾性変形により前記案内レールと係合するよう構成され、前記ロック部材は、前記脚部の内側から当該弾性変形を抑止するよう構成されていることを特徴とする、請求項１から４のいずれか一項に記載の遮蔽装置。
【請求項６】
前記脚部が内向の弾性変形により前記案内レールと係合するよう構成され、前記ロック部材は、前記脚部の外側から当該弾性変形を抑止するよう構成されていることを特徴とする、請求項１から４のいずれか一項に記載の遮蔽装置。
【請求項７】
前記スライダーは、前記遮蔽材を水平方向に移動可能に、且つ水平方向に回動可能に支持するよう構成され、前記案内レールは、前記遮蔽材の上部と下部のいずれか一方又は双方に設けられ、前記ガイド部材は、該案内レールに係合させる当該脚部を有し、前記ロック部材は、該脚部の弾性変形の許容又は抑止の設定が選択可能に設けられていることを特徴とする、請求項１から６のいずれか一項に記載の遮蔽装置。
【請求項８】
前記スライダーは、前記錘部材を鉛直方向に移動可能に支持するよう構成され、前記案内レールは、前記錘部材の左右両端に設けられ、前記ガイド部材は、該案内レールに係合させる当該脚部を有し、前記ロック部材は、該脚部の弾性変形の許容又は抑止の設定が選択可能に設けられていることを特徴とする、請求項１から６のいずれか一項に記載の遮蔽装置。
【発明の詳細な説明】
【技術分野】
【０００１】
本発明は、案内レールに沿って遮蔽材を移動可能とする遮蔽装置に関する。
【背景技術】
【０００２】
案内レールに沿って遮蔽材を移動可能とする遮蔽装置の例として、遮蔽材としてのパネルを案内レールとして機能する上部レールと下部レールとの間で移動可能に支持して、上部レール及び下部レールに沿って引き出し及び畳み込み可能とした引戸や、案内レールとして機能するサイドレールに沿って錘部材（ウェイトバー）を移動させ、遮蔽材としての布状又は網状等の生地を昇降するロールスクリーン、或いはカーテン生地を遮蔽材とするカーテンレールや、スラットを遮蔽材とする縦型ブラインドなどがある。
【０００３】
例えば、引戸の代表例として、クローゼット等の扉、或いは室内空間を適宜に区画する間仕切りとして使用される折引戸がある。折引戸は、複数枚のパネルが下部レールと上部レールとの間で移動可能に支持され、且つ一対のパネルが蝶番を介して回動可能に連結される。
【０００４】
各パネルは、その幅方向中央部に下部スライダー（ランナー）及び上部スライダー（ランナー）が設けられ、これら両スライダーで下部レール及び上部レールに沿って移動可能に、且つ回動可能に支持されている。そして、案内レールに沿ってスライダーを円滑に移動可能に構成した折引戸が開示されている（例えば、特許文献１，２参照）。
【先行技術文献】
【特許文献】
【０００５】
【特許文献１】特許第４３８７１６８号明細書
【特許文献２】特許第４６８２０４０号明細書
【発明の概要】
【発明が解決しようとする課題】
【０００６】
前述した特許文献１，２等に示されるように、折引戸は、スライダーの下端部を弾性変形させてレールに係合させている。しかしながら、このようなスライダーとレールとの従来技法に基づく係合方法では、パネルを無理に傾ける方向に力を付与して引き出し又は畳み込み操作を行なうときや、パネルに対するさほど強くない衝撃の付与であるにも関わらず、その衝撃で、スライダーがレールから容易に外れてしまうことがある。
【０００７】
本発明の目的は、上述した課題に鑑みて、品質や施工性、或いはメンテナンス性を向上させ、案内レールに沿って遮蔽材を移動可能とする遮蔽装置を提供することにある。
【課題を解決するための手段】
【０００８】
本発明の遮蔽装置は、案内レールに沿って遮蔽材を移動可能とする遮蔽装置であって、前記遮蔽材、又は前記遮蔽材に取着される錘部材を移動可能に支持するスライダーを備え、前記スライダーは、弾性変形させて案内レールに係合させる脚部を有するガイド部材、及び、前記脚部の弾性変形を抑止可能とするロック部材を備えることを特徴とする。
【０００９】
また、本発明の遮蔽装置において、前記ロック部材及び前記ガイド部材は、当該非ロック状態又はロック状態を設定可能にする互いに係合可能な係合手段を有することを特徴とする。
【００１０】
また、本発明の遮蔽装置において、前記ロック部材は、前記脚部の弾性変形を許容する非ロック状態と、前記脚部の弾性変形を抑止するロック状態のいずれにおいても前記ガイド部材に保持されていることを特徴とする。
【００１１】
また、本発明の遮蔽装置において、前記ロック部材は、前記ガイド部材に対して所定距離で相対移動可能に係合されていることを特徴とする。
【００１２】
また、本発明の遮蔽装置において、前記脚部が外向の弾性変形により前記案内レールと係合するよう構成され、前記ロック部材は、前記脚部の内側から当該弾性変形を抑止するよう構成されていることを特徴とする。
【００１３】
また、本発明の遮蔽装置において、前記脚部が内向の弾性変形により前記案内レールと係合するよう構成され、前記ロック部材は、前記脚部の外側から当該弾性変形を抑止するよう構成されていることを特徴とする。
【００１４】
また、本発明の遮蔽装置において、前記スライダーは、前記遮蔽材を水平方向に移動可能に、且つ水平方向に回動可能に支持するよう構成され、前記案内レールは、前記遮蔽材の上部と下部のいずれか一方又は双方に設けられ、前記ガイド部材は、該案内レールに係合させる当該脚部を有し、前記ロック部材は、該脚部の弾性変形の許容又は抑止の設定が選択可能に設けられていることを特徴とする。
【００１５】
また、本発明の遮蔽装置において、前記スライダーは、前記錘部材を鉛直方向に移動可能に支持するよう構成され、前記案内レールは、前記錘部材の左右両端に設けられ、前記ガイド部材は、該案内レールに係合させる当該脚部を有し、前記ロック部材は、該脚部の弾性変形の許容又は抑止の設定が選択可能に設けられていることを特徴とする。
【発明の効果】
【００１６】
本発明によれば、スライダーにロック機構が設けられるため、スライダーを案内レールから外れにくくすることができ、このため、その品質を高めることができる。更に、案内レールに係合するスライダーの脚部の弾性変形の許容又は抑止の設定が容易となり、施工性又はメンテナンス性を向上させることができる。
【図面の簡単な説明】
【００１７】
【図１】本発明による第１実施形態の遮蔽装置としての折引戸の概略構成を示す正面図である。
【図２】本発明による第１実施形態の遮蔽装置としての折引戸における一実施例のスライダー周辺の構成を示す部分的な側面図である。
【図３】本発明による第１実施形態の遮蔽装置としての折引戸における一実施例のスライダーの概略構成を示す分解斜視図である。
【図４】（ａ），（ｂ）は、本発明による第１実施形態の遮蔽装置としての折引戸における一実施例のスライダーの非ロック状態を示す図であり、（ｃ），（ｄ）は、そのロック状態を示す図である。
【図５】（ａ），（ｂ）は、それぞれ本発明による第１実施形態の遮蔽装置としての折引戸における一実施例のスライダーの施工時の状態（非ロック状態）と施工後の状態（ロック状態）を示す正面図である。
【図６】（ａ），（ｂ）は、それぞれ本発明による第１実施形態の遮蔽装置としての折引戸における一実施例のスライダーの施工時の状態（非ロック状態）と施工後の状態（ロック状態）を示す部分的な断面図である。
【図７】（ａ），（ｂ）は、それぞれ本発明による第１実施形態の遮蔽装置としての折引戸における別の実施例のスライダーの非ロック時とロック時の状態を示す部分的な断面図である。
【図８】（ａ），（ｂ）は、それぞれ本発明による第１実施形態の遮蔽装置としての折引戸における更に別の実施例のスライダーの非ロック時とロック時の状態を示す部分的な断面図である。
【図９】本発明による第１実施形態の遮蔽装置としての折引戸における変形例のスライダーの概略構成を示す分解斜視図である。
【図１０】本発明による第１実施形態の遮蔽装置としての折引戸における変形例のスライダーの概略構成を示す部分的な断面図である。
【図１１】本発明による第２実施形態の遮蔽装置としてのロールスクリーンの概略構成を示す正面図である。
【発明を実施するための形態】
【００１８】
以下、図面を参照して、本発明による各実施形態の遮蔽装置を説明する。尚、本願明細書中、図１に示す遮蔽装置の正面図に対して、図示上方及び図示下方を上方向（又は上側）及び下方向（又は下側）と定義し、図示左方向を遮蔽装置の左側、及び、図示右方向を遮蔽装置の右側と定義して説明する。また、以下に説明する例では、図１に示す遮蔽装置の正面図に対して、視認する側を前側（又は室内側）、その反対側を後側（又は室外側）とし、遮蔽装置の前後方向と称するときは、図１の正面図における図示面に対して垂直な方向を云う。
【００１９】
〔第１実施形態〕
（全体構成）
図１は、本発明による第１実施形態の遮蔽装置としての折引戸１の概略構成を示す正面図である。本例の折引戸１は、複数枚のパネル４ａ〜４ｄが下部レール２と上部レール３との間で移動可能に支持され、且つ一対のパネル４ａ，４ｂ、及びパネル４ｃ，４ｄが蝶番５を介して回動可能に連結されている。
【００２０】
各パネル４ａ〜４ｄは、その幅方向（左右方向）の中央部に下部スライダー６及び上部スライダー７が設けられ、それぞれの下部及び上部スライダー６，７で、それぞれ下部及び上部レール２，３に沿って移動可能に、且つ回動可能に支持されている。
【００２１】
上部スライダー７及び上部レール３は、それぞれ下部スライダー６及び下部レール３と同様に構成することができる。図２に、本発明に係る一実施例の下部スライダー６の周辺構成を部分的な側面図で示している。
【００２２】
図２を参照するに、各パネル４ａ〜４ｄの下枠には筒部４１が形成されており、この筒部４１に各パネルを支持する支持機構８が固着され、この支持機構８に対して相対回動可能に下部スライダー６が取着されている。より具体的に、支持機構８は、パネルの筒部４１に圧入して固着するよう複数条の突起が設けられた固定軸８１と、この固定軸８１から外方に突出し、パネルの下枠を支持するフランジ８２と、フランジ８２から下方に延びる円柱状のシャフト８３と、シャフト８３よりも小さい断面径で更に下方に延び、下部スライダー６を相対回動可能に軸支する軸部８４からなる。
【００２３】
下部スライダー６は、詳細に後述するが、下部レール２に係合して移動可能な１つのガイド部材６１と、当該係合に係る弾性変形の許容又は抑止の設定が可能な２つのロック部材６２により構成されている。尚、ガイド部材６１は、軸部８４に相対回動可能に軸支された状態で、軸部８４にリングワッシャや移動コロが挿通されて取付ネジにより保持され、軸部８４に対して所定量の傾斜を許容して保持される。
【００２４】
下部レール２は、住居のバリアフリー化の要請により、下部スライダー６を支持する際に、その床面からの突出量を少ないものとしている（例えば、床面からの高さを３ｍｍ程度）。そして、下部スライダー６におけるガイド部材６２と係合する下部レール２の係止辺２１は、その強度も高く、上方からの荷重によっても変形しにくいよう係止辺２１の肉厚を増大させている。また、下部スライダー６の上方への抜けが防止されるよう、前後の係止辺２１は下方から上方へ向かって互いに近づく斜面で形成され、前後の係止辺２１により有底の溝条が形成されている。下部スライダー６は、そのガイド部材６１の脚部が係止辺２１によって形成される下部レール２の溝条に係合することにより、下部レール２に沿って移動可能に支持される。
【００２５】
（スライダー）
次に、下部スライダー６を例に、そのスライダーの詳細な構造を説明する。図３は、一実施例のスライダーの概略構成を分解斜視図で示している。図３を参照するに、下部スライダー６は、下部レール２に係合して移動可能な１つのガイド部材６１と、当該係合に係る弾性変形の許容又は抑止の設定が可能な２つのロック部材６２により構成されている。
【００２６】
ガイド部材６１の本体中央部には、挿通孔６１１が設けられ、支持機構８の軸部８４が挿通される。そして、ガイド部材６１は、軸部８４に相対回動可能に軸支された状態で、軸部８４にリングワッシャ８５及び移動コロ８６が挿通されて取付ネジ８７により保持され、軸部８４に対して所定量の傾斜を許容して保持される。尚、移動コロ８６は、下部レール２の前後の係止辺２１のいずれか一方に当接し回転可能に設けられ、下部スライダー６の移動を円滑化させる機能を有し、図示するような略円柱状の形状でなくとも係止辺２１の形状に合わせてその上下方向断面が略台形状となるよう形成してもよい。ただし、このようなリングワッシャ８５や移動コロ８６は必ずしも設ける必要はない。
【００２７】
ガイド部材６１は、合成樹脂で形成され、その本体から四脚状に下方へ延びる脚部６１２を有している。ガイド部材６１の左右側のそれぞれに設けられる前後方向で一対の脚部６１２は、互いに、上方から下方へ向かって互いに遠ざかるよう傾斜して形成され、その先端部には鑓状に突起する係合突起部６１２ａが形成されている。この脚部６１２は、ガイド部材６１の本体に対して弾性変形可能に構成されている。
【００２８】
また、当該一対の脚部６１２の内方には、ロック部材６２の係合基部６２２を係合収容可能な設置空間が段差を有して形成され、その設置空間の略中央部には、ガイド部材６１の本体から二股に下方へと延びる鑓状の抜け止め係止片６１３が設けられている。各脚部６１２の左右方向幅がロック部材６２の係合基部６２２の左右方向長さに相当するよう形成されていることから、この当該一対の脚部６１２による設置空間もロック部材６２の係合基部６２２の左右方向長さに相当する長さで形成されているが、その脚部６１２による形状により、ガイド部材６１の左右方向の一端部から中央部に向けて幅広部と幅狭部に２分される段差空間となっている（後述する図４参照）。
【００２９】
そして、当該設置空間の幅狭部に相当する位置で、当該一対の脚部６１２のそれぞれの内側面上に、上下方向に延びる係合凹部６１４が形成されている。
【００３０】
一方、ロック部材６２は、左右方向に延びる略四角柱状の係合基部６２２の基端部には、逆凸平板状のツマミ部６２１が形成されている。そして、ロック部材６２の係合基部６２２には上下方向に貫通する貫通孔６２３が形成されており、この貫通孔６２３を経てガイド部材６１の抜け止め係止片６１３が挿通されて弾性変形して係止されることで、ロック部材６２の係合基部６２２がガイド部材６１に対して左右方向へ所定距離で相対移動可能に係合収容可能となっている。また、ロック部材６２の係合基部６２２の前後方向の各側面には、係合基部６２２の先端部近傍にて上下方向に延びる係合凸部６２５が形成されており、係合凹部６１４と係合可能になっている。即ち、操作者（例えば施工者）は、ツマミ部６２１を利用してガイド部材６１に係合収容されたロック部材６２の係合基部６２２の相対移動を実行し、係合凸部６２５が係合凹部６１４と係合する位置でロック状態とするか、係合凸部６２５が係合凹部６１４と非係合の位置で非ロック状態とするかを設定することができる。
【００３１】
また、ロック部材６２の係合基部６２２におけるツマミ部６２１の近傍位置で、その前後方向の各側面には上方から下方へ向かって傾斜する傾斜壁６２４がそれぞれ形成されており、この一対の傾斜壁６２４は、ガイド部材６１の当該一対の脚部６１２の傾斜と合致する形状となっている。そして、ガイド部材６１に係合収容されたロック部材６２の係合基部６２２の相対移動により、係合凸部６２５が係合凹部６１４と非係合とする位置で非ロック状態にあるとき（図４（ａ），（ｂ）参照）、当該一対の傾斜壁６２４は、ガイド部材６１から抜け出してガイド部材６１の脚部６１２の弾性変形を許容することができる。一方、係合凸部６２５が係合凹部６１４と係合とする位置でロック状態にあるとき（図４（ｃ），（ｄ）参照）、一対の傾斜壁６２４は、ガイド部材６１の当該一対の脚部６１２の傾斜と合致してガイド部材６１の脚部６１２の弾性変形を抑止することができる。
【００３２】
このため、施工者は、例えば施工時には、ロック部材６２をガイド部材６１に対して非ロック状態とすることで（図５（ａ）参照）、下部レール２に係合する下部スライダー６の脚部の弾性変形を許容し（図４（ａ）に対応する図６（ａ）参照）、その施工性又はメンテナンス性が容易になる。また、施工者は、その施工後に、ロック部材６２をガイド部材６１に対してロック状態とすることで（図５（ｂ）参照）、下部レール２に係合する下部スライダー６の脚部の弾性変形を抑止して不可とすることで（図４（ｃ）に対応する図６（ｂ）参照）、下部スライダー６を下部レール２から外れにくくすることができる。
【００３３】
尚、本例では、図６（ａ），（ｂ）に示すように、下部レール２の係止辺２１を下方から上方へ向かって互いに近づく斜面で形成し、これと係合するようガイド部材６１の脚部６１２及び係合突起部６１２ａを鑓状に突起させた形状とする例を説明したが、このような形状に限定する必要はない。
【００３４】
例えば、図６（ａ），（ｂ）に対比可能に図示した図７（ａ），（ｂ）に示すように、下部レール２の係止辺２１を直方状に形成し、これと係合するようガイド部材６１の脚部６１２及び係合突起部６１２ａを直方状の形状とすることができる。
【００３５】
また、図８（ａ），（ｂ）に示すように、２条の溝条が形成されている下部レール２に対して、図６（ａ），（ｂ）に示すガイド部材６１を２つ前後方向で連結した形状よりなるガイド部材６１ａを構成し、これに対してガイド部材６１ａの当該設置空間にロック部材６２の係合基部６２２を係合収容させるよう構成することもできる。この場合に、ロック部材６２についても２つ前後方向で連結した形状のものとしてもよい。
【００３６】
また、これら図６乃至図８に示すように構成した下部スライダー６及び下部レール２と同様に、図１に示す折引戸１の上部スライダー７及び上部レール３を構成することができる。
【００３７】
また、上述した例に基づいて上部スライダー７を構成するときは、上部スライダー７の係合突起部６１２ａが外向の場合であり、このときのロック部材６２は、係合突起部６１２ａの内側から固定可能（弾性変形を抑止可能）とするよう構成することになる。一方、上部スライダー７の係合突起部６１２ａが内向の場合、係合突起部６１２ａの外側から固定可能（弾性変形を抑止可能）とすればよい。
【００３８】
例えば、上部スライダー７及び上部レール３の変形例として、上部レール３を略Ｉ字断面形状を有するレールで構成した場合の例を、図９及び図１０を参照して説明する。その説明の便宜上、上述した例と同様の構成要素には同一の参照番号を付している。即ち、図９に示す上部レール３に沿って移動可能に構成した上部スライダー７は、略Ｉ字断面形状の上部レール３に係合して移動可能な１つのガイド部材６１ｂと、当該係合に係る弾性変形の許容又は抑止の設定が可能な２つのロック部材６２ｂにより構成されている。
【００３９】
上部レール３は、天井面側に固定されるレール上部３ａと、上部スライダー７の移動を案内する溝条７ｂと、上部スライダー７によって掴持されるレール下部３ｃが形成されている。
【００４０】
図９に示すガイド部材６１ｂは、その本体中央部に、挿通孔６１１が設けられ、各パネルを吊下支持するための支持機構８の軸部８４が挿通される。そして、ガイド部材６１ｂは、軸部８４に相対回動可能に軸支された状態で、軸部８４に取付ネジ８７により保持され、軸部８４に対して所定量の傾斜を許容して保持される。
【００４１】
ガイド部材６１ｂは、合成樹脂で形成され、その本体から四脚状に上方へ延びる脚部６１２と、それぞれの脚部６１２に対向して略平行に上方へ延びる外壁部６１５とを有している。ガイド部材６１ｂの左右側のそれぞれに設けられる前後方向で一対の脚部６１２は、その先端部にて突起する係合突起部６１２ａが互いに近づくよう形成され、その内方でレール下部３ｃを掴持可能となっている。当該一対の脚部６１２は、ガイド部材６１ｂの本体に対して弾性変形可能に構成されている。
【００４２】
また、当該一対の脚部６１２とそれぞれ対向する外壁部６１５の内方には、それぞれロック部材６２ｂにおける２本の係合基部６２２を係合収容可能な設置空間が段差を有して形成されている。各脚部６１２の左右方向幅がロック部材６２ｂの係合基部６２２の左右方向長さに相当するよう形成されていることから、この当該一対の脚部６１２による設置空間もロック部材６２ｂの係合基部６２２の左右方向長さに相当する長さで形成されているが、その脚部６１２による形状により、ガイド部材６１の左右方向の一端部から中央部に向けて幅広部と幅狭部に２分される段差空間となっている。
【００４３】
そして、当該設置空間の幅狭部に相当する位置で、当該一対の脚部６１２とそれぞれ対向する外壁部６１５のそれぞれの内側面上に、上下方向に延びる係合凹部６１４が形成されている。
【００４４】
一方、ロック部材６２ｂは、左右方向に延びる略四角柱状の係合基部６２２の基端部には、凸平板状のツマミ部６２１が形成されている。そして、ロック部材６２ｂは、２本の係合基部６２２がガイド部材６１ｂに挿入載置されて、ロック部材６２ｂの係合基部６２２がガイド部材６１ｂに対して左右方向へ所定距離で相対移動可能に係合収容可能となっている。また、ロック部材６２ｂの係合基部６２２の前後方向の各側面には、係合基部６２２の先端部近傍にて上下方向に延びる係合凸部６２５が形成されており、係合凹部６１４と係合可能になっている。即ち、操作者（例えば施工者）は、ツマミ部６２１を利用してガイド部材６１ｂに係合収容されたロック部材６２ｂの係合基部６２２の相対移動を実行し、係合凸部６２５が係合凹部６１４と係合する位置でロック状態とするか、係合凸部６２５が係合凹部６１４と非係合の位置で非ロック状態とするかを選択的に設定することができる。
【００４５】
また、ロック部材６２ｂの２本の係合基部６２２におけるツマミ部６２１の近傍位置で、２本の係合基部６２２が対向する各側面には下方から上方へ向かって傾斜する傾斜壁６２４がそれぞれ形成されており、この一対の傾斜壁６２４は、ガイド部材６１ｂの当該一対の脚部６１２の傾斜と合致する形状となっている。そして、ガイド部材６１ｂに係合収容されたロック部材６２ｂの係合基部６２２の相対移動により、係合凸部６２５が係合凹部６１４と非係合とする位置で非ロック状態にあるとき、当該一対の傾斜壁６２４は、ガイド部材６１ｂから抜け出してガイド部材６１ｂの脚部６１２の弾性変形を許容することができる。一方、係合凸部６２５が係合凹部６１４と係合とする位置でロック状態にあるとき、一対の傾斜壁６２４は、ガイド部材６１ｂの当該一対の脚部６１２の傾斜と合致してガイド部材６１の脚部６１２の弾性変形を抑止することができる。
【００４６】
このため、施工者は、例えば施工時には、ロック部材６２ｂをガイド部材６１ｂに対して非ロック状態とすることで、上部レール３に係合する上部スライダー７の脚部の弾性変形を許容し、その施工性又はメンテナンス性が容易になる。また、施工者は、その施工後に、ロック部材６２ｂをガイド部材６１ｂに対してロック状態とすることで、このロック状態にあるときの上部スライダー７及び上部レール３の断面図を図１０に示しているように、上部レール３に係合する上部スライダー７の脚部の弾性変形を抑止して不可とすることができ、上部スライダー７を上部レール３から外れにくくすることができる。
【００４７】
尚、図９に示す例では、ロック部材６２ｂは、２本の係合基部６２２がガイド部材６１ｂに挿入載置されて相対移動可能に係合収容可能とする例を説明したが、非ロック状態時に、ロック部材６２ｂがガイド部材６１ｂから外れて紛失することが無いよう、２本の係合基部６２２の先端部を連結した構成とし、その中央に形成される貫通孔に、ガイド部材６１ｂにおける当該一対の脚部６１２を挿通して載置することで、当該の係合基部６２２を左右方向へ所定距離で相対移動可能に係合収容させることができ、ロック部材６２ｂがガイド部材６１ｂから外れて紛失することが無くなる。
【００４８】
また、当該一対の脚部６１２のそれぞれについて図３に示す例と同様な挿通孔６２３を設け、ガイド部材６１ｂにもこれと対応する抜け止め係止片６１３を設けることで、ロック部材６２ｂがガイド部材６１ｂから外れて紛失することが無くなる。
【００４９】
以上のように、第１実施形態の遮蔽装置によれば、スライダーにロック機構が設けられるため、スライダーを案内レールから外れにくくすることができ、このため、その品質を高めることができる。更に、案内レールに係合するスライダーの脚部の弾性変形の許容又は抑止の設定が容易となり、施工性又はメンテナンス性を向上させることができる。
【００５０】
〔第２実施形態〕
次に、第２実施形態の遮蔽装置として構成するロールスクリーンについて説明する。第１実施形態では、上部レール及び／又は下部レールを利用して遮蔽材を移動させる代表例を説明したが、サイドレールを利用してウェイトバーを移動させる遮蔽装置にも本発明に係るスライダーを応用して適用することができる。
【００５１】
図１１は、本発明による第２実施形態の遮蔽装置としてのロールスクリーン１０の概略構成を示す正面図である。ロールスクリーン１０は、サイドレール１７Ｌ，１７Ｒに沿ってウェイトバー１５を移動可能に支持して、遮蔽材１４を昇降可能とする遮蔽装置である。
【００５２】
図１１に示す本実施形態のロールスクリーン１０は、まず、取付対象の枠体１１（窓枠等）の上部の取付面に取付フレーム１２が取着されている。そして、左右両端に前方に突出する板状の支持部１２ａ，１２ｂを有する略コの字状の支持部材がブラケットを介して取付フレーム１２に固定されている。この支持部１２ａ，１２ｂ間に巻取軸１３が回転できる状態で支持されている。巻取軸１３は、矩形形状を有する遮蔽材１４の上端部を巻取軸１３の軸線方向に沿って支持している。遮蔽材１４の下端部は、左右方向に沿って延びるウェイトバー１５を有し、その両端部にはそれぞれスライダー６Ｌ，６Ｒが設けられている。
【００５３】
巻取軸１３は、巻取軸１３を回転させる回転機構を通じて、操作部１６に連結され、この操作部１６には、操作チェーンが掛装されている。巻取軸１３は、操作チェーンの巻き取り又は巻き戻し操作によって遮蔽材１４を昇降させることができる。尚、巻取軸１２を回転させる機構はモーターを備えた電動式としてもよい。
【００５４】
このようなロールスクリーンでは、巻取軸１３に巻取られた遮蔽材１４が巻戻し操作によって下降し、また、巻取軸１３から引き出された遮蔽材１３が巻取り操作によって上昇する。ウェイトバー１５の昇降は、スライダー６Ｌ，６Ｒによって支持されるサイドレール１７Ｌ，１７Ｒに案内される。
【００５５】
このスライダー６Ｌ，６Ｒ、及びサイドレール１７Ｌ，１７Ｒについて、図１乃至図１０を参照して説明した下部スライダー６及び下部レール２の技法を利用して適用することで、スライダー６Ｌ，６Ｒをサイドレール１７Ｌ，１７Ｒから外れにくくすることができ、このため、その品質を高めることができる。更に、サイドレール１７Ｌ，１７Ｒに係合するスライダー６Ｌ，６Ｒの脚部の弾性変形の許容又は抑止の設定が容易となり、施工性又はメンテナンス性を向上させることができる。
【００５６】
以上、特定の実施形態の例を挙げて本発明を説明したが、本発明は前述の実施形態の例や実施例に限定されるものではなく、その技術思想を逸脱しない範囲で種々変形可能である。例えば、スライダー（ランナー）を用いて案内レールに沿って遮蔽材を移動可能とする遮蔽装置であれば、例えば、引戸、ロールスクリーン、或いはカーテンレールや縦型ブラインドなどの様々な遮蔽装置に適用することができる。
【産業上の利用可能性】
【００５７】
本発明によれば、スライダーにロック機構が設けられるため、スライダーの係合突起部を案内レールから外れにくくすることができるので、スライダー（ランナー）を用いて案内レールに沿って遮蔽材を移動可能とする遮蔽装置の用途に有用である。
【符号の説明】
【００５８】
１  折引戸
２  下部レール
３  上部レール
４ａ，４ｂ，４ｃ，４ｄ  パネル
６  下部スライダー
７  上部スライダー
６１，６１ｂ  ガイド部材
６２，６２ｂ  ロック部材
【図１】
2017014740.tif 000003
【図２】
2017014740.tif 000004
【図３】
2017014740.tif 000005
【図４】
2017014740.tif 000006
【図５】
2017014740.tif 000007
【図６】
2017014740.tif 000008
【図７】
2017014740.tif 000009
【図８】
2017014740.tif 000010
【図９】
2017014740.tif 000011
【図１０】
2017014740.tif 000012
【図１１】
2017014740.tif 000013